(57)【特許請求の範囲】
【請求項１】
第１のシートと、
前記第１のシートと対向する第２のシートと、
前記第１のシートおよび前記第２のシートにより袋が構成されるように前記第１のシートと前記第２のシートとを接合するシール部と、
前記袋に開口部を形成するために前記シール部の一部を含む閉鎖片を前記袋から分離できるように前記第１のシートおよび前記第２のシートに設けられるガイド部と、
前記シール部に設けられるノッチとを含み、
前記ガイド部は、前記第１のシートに設けられる複数の第１のガイド線、および、前記第２のシートに設けられる複数の第２のガイド線を含み、
前記複数の第１のガイド線は、前記閉鎖片に含まれる前記シール部寄りの箇所に設けられる波線状の第１の外側ガイド線、および、前記第１の外側ガイド線よりも前記閉鎖片に含まれる前記シール部から離れた箇所に設けられる波線状の第１の内側ガイド線を含み、
前記複数の第２のガイド線は、前記閉鎖片に含まれる前記シール部寄りの箇所に設けられる波線状の第２の外側ガイド線、および、前記第２の外側ガイド線よりも前記閉鎖片に含まれる前記シール部から離れた箇所に設けられる波線状の第２の内側ガイド線を含み、
前記第２の外側ガイド線は、投影面上において前記第１の内側ガイド線に交差しないように前記第１の外側ガイド線と交差し、
前記第２の内側ガイド線は、投影面上において前記第１の外側ガイド線に交差しないように前記第１の内側ガイド線と交差し、
前記第１の外側ガイド線および前記第２の内側ガイド線は、前記第１の外側ガイド線の谷の頂点と前記第２の内側ガイド線の山の頂点とが投影面上において互いに接するように構成され、
前記第１の内側ガイド線および前記第２の外側ガイド線は、前記第１の内側ガイド線の山の頂点と前記第２の外側ガイド線の谷の頂点とが投影面上において互いに接し、かつ、前記ノッチの先端部が、前記第１の内側ガイド線と前記第２の外側ガイド線との接点を含む部分に繋がるように、構成される
パウチ。
【請求項２】
前記ガイド部は、前記閉鎖片が前記袋から分離された場合に前記開口部において前記第１のシートの内面および前記第２のシートの内面の少なくとも一方が露出するように、かつ、前記閉鎖片が前記第１のシート側に飛び出すように前記閉鎖片が前記袋から分離される場合の前記開口部の形状と、前記閉鎖片が前記第２のシート側に飛び出すように前記閉鎖片が前記袋から分離される場合の前記開口部の形状とが異なるように設けられる
請求項１に記載のパウチ。
【請求項３】
前記ノッチに加えて、前記シール部に設けられる追加のノッチを備え、
追加の前記ノッチの先端部は、前記第１の外側ガイド線と前記第２の内側ガイド線との接点を含む部分に繋がるように、構成される
請求項１または２に記載のパウチ。
【請求項４】
前記第１の外側ガイド線および前記第１の内側ガイド線の位相は同じであり、
前記第２の外側ガイド線および前記第２の内側ガイド線の位相は同じであり、前記第１の外側ガイド線および前記第１の内側ガイド線の位相と異なる
請求項１〜３のいずれか一項に記載のパウチ。
【請求項５】
前記第１の外側ガイド線および前記第１の内側ガイド線と前記第２の外側ガイド線および前記第２の内側ガイド線とのずれは半周期である
請求項４に記載のパウチ。
【発明の詳細な説明】
【技術分野】
【０００１】
本発明は複数のガイド線を含むパウチに関する。
【背景技術】
【０００２】
食品等の内容物を収容するパウチが知られている。その一例である特許文献１のパウチ９００は図９に示されるとおり、互いに対向する第１のシート９１１および第２のシート９１２により構成される袋９１０、ならびに、袋９１０の開口を閉鎖する閉鎖片９１０Ａを切り取るためのガイド線９２０を含む。図９に示される例では、第１のシート９１１が袋９１０の正面を構成し、第２のシート９１２が袋９１０の背面を構成する。ガイド線９２０は、袋９１０の幅方向に伸びるように第１のシート９１１に設けられる第１のガイド線９２１、および、袋９１０の幅方向に伸びるように第２のシート９１２に設けられる第２のガイド線９２２を含む。
【０００３】
第１のガイド線９２１は第１の直線部分９２１Ａ、上方湾曲部分９２１Ｂ、および、第２の直線部分９２１Ｃを含む。第１の直線部分９２１Ａは第１のシート９１１のうちの一方の側部の縁から袋９１０の幅方向に伸びている。第２の直線部分９２１Ｃは第１のシート９１１のうちの他方の側部の縁から袋９１０の幅方向に伸びている。上方湾曲部分９２１Ｂは第１の直線部分９２１Ａと第２の直線部分９２１Ｃとを互いに接続し、袋９１０の上下方向において上方に突出している。
【０００４】
第２のガイド線９２２は第１の直線部分９２２Ａ、下方湾曲部分９２２Ｂ、および、第２の直線部分９２２Ｃを含む。第１の直線部分９２２Ａは第２のシート９１２のうちの一方の側部の縁から袋９１０の幅方向に伸びている。第２の直線部分９２２Ｃは第２のシート９１２のうちの他方の側部の縁から袋９１０の幅方向に伸びている。下方湾曲部分９２２Ｂは第１の直線部分９２２Ａと第２の直線部分９２２Ｃとを互いに接続し、袋９１０の上下方向において下方に突出している。
【０００５】
各ガイド線９２１、９２２に沿って袋９１０の一部が切断されることにより、袋９１０が閉鎖片９１０Ａと袋本体９１０Ｂとに分離する。すなわち、図１０に示されるように袋９１０から閉鎖片９１０Ａが切り取られ、袋９１０が開口する。これにより、袋本体９１０Ｂの上下方向における上方湾曲部分９２１Ｂと下方湾曲部分９２２Ｂとの間の部分に第１の段差部９３１が形成され、閉鎖片９１０Ａの上下方向における上方湾曲部分９２１Ｂと下方湾曲部分９２２Ｂとの間の部分に第２の段差部９３２が形成される。図１０に示される例では、第１の段差部９３１は袋本体９１０Ｂのうちの第１のシート９１１に形成され、第２の段差部９３２は閉鎖片９１０Ａのうちの第２のシート９１２に形成される。パウチ９００を使用する使用者は、例えばこの第１の段差部９３１を把持することによりパウチ９００を容易に開封できる。
【先行技術文献】
【特許文献】
【０００６】
【特許文献１】特開２００５−２８９３９６号公報
【発明の概要】
【発明が解決しようとする課題】
【０００７】
袋９１０から閉鎖片９１０Ａを切り取る手順として、第１の切取手順および第２の切取手順が考えられる。第１の切取手順は、例えば使用者が閉鎖片９１０Ａを袋本体９１０Ｂに対して手前に引くことにより袋９１０から閉鎖片９１０Ａを切り取る手順である。第２の切取手順は、例えば使用者が閉鎖片９１０Ａを袋本体９１０Ｂに対して奥に押すことにより袋９１０から閉鎖片９１０Ａを切り取る手順である。
【０００８】
第１の切取手順により袋９１０から閉鎖片９１０Ａが切り取られる場合、その過程において第１のシート９１１の第１の段差部９３１に相当する部分と第２のシート９１２の第２の段差部９３２に相当する部分とが干渉し、袋９１０から閉鎖片９１０Ａを切り取る動作が妨げられる。このため、閉鎖片９１０Ａをスムーズに切り取れないおそれがある。なお、第１のガイド線９２１が第２のシート９１２に設けられ、第２のガイド線９２２が第１のシート９１１に設けられるパウチでは、第２の切取手順により閉鎖片９１０Ａが切り取られる場合に同様の課題が発生する。
【課題を解決するための手段】
【０００９】
〔１〕本発明に従うパウチの一形態は、第１のシートと、前記第１のシートと対向する第２のシートと、前記第１のシートおよび前記第２のシートにより袋が構成されるように前記第１のシートと前記第２のシートとを接合するシール部と、前記袋に開口部を形成するために前記シール部の一部を含む閉鎖片を前記袋から分離できるように前記第１のシートおよび前記第２のシートに設けられるガイド部とを含み、前記ガイド部は、前記閉鎖片が前記袋から分離された場合に前記開口部において前記第１のシートの内面および前記第２のシートの内面の少なくとも一方が露出するように、かつ、前記閉鎖片が前記第１のシート側に飛び出すように前記閉鎖片が前記袋から分離される場合の前記開口部の形状と、前記閉鎖片が前記第２のシート側に飛び出すように前記閉鎖片が前記袋から分離される場合の前記開口部の形状とが異なるように設けられる。
【００１０】
上記パウチによれば、上述した第１の切取手順により閉鎖片が袋から切り取られた場合の袋の開口部の形状と、第２の切取手順により閉鎖片が袋から切り取られた場合の袋の開口部の形状とが異なる。これは、第１の切取手順において利用されるガイド部と第２の切取手順において利用されるガイド部とが相違することが関係している。すなわち、袋から閉鎖片が切り取られる過程において第１のシートと第２のシートとの干渉が大きくなる前に、第１の切取手順および第２の切取手順のいずれにおいても閉鎖片が袋から切り取られるようにガイド部が設けられている。このため、上記パウチは閉鎖片をスムーズに切り取ることができる。
【００１１】
また、上記パウチは閉鎖片が袋から切り取られた場合に、その袋の開口部において第１のシートの内面および第２のシートの内面の少なくとも一方が露出する。このため、上記パウチを使用する使用者がその露出した部分を把持することにより、その開口部を容易に開封できる。このように、上記パウチは閉鎖片をスムーズに切り取ることができ、その開口部を容易に開封できる。
【００１２】
〔２〕前記パウチの一例によれば、前記ガイド部は、前記第１のシートに設けられる複数の第１のガイド線、および、前記第２のシートに設けられる少なくとも１本の第２のガイド線を含む。
【００１３】
〔３〕前記パウチの一例によれば、前記複数の第１のガイド線は、前記閉鎖片に含まれる前記シール部寄りの箇所に設けられる第１の外側ガイド線、および、前記第１の外側ガイド線よりも前記閉鎖片に含まれる前記シール部から離れた箇所に設けられる第１の内側ガイド線を含み、前記少なくとも１本の第２のガイド線は、投影面上において前記第１の外側ガイド線および前記第１の内側ガイド線の少なくとも一方と交差または接する。
【００１４】
〔４〕前記パウチの一例によれば、前記ガイド部は、複数の前記第２のガイド線を含み、前記複数の第２のガイド線は、前記閉鎖片に含まれる前記シール部寄りの箇所に設けられる第２の外側ガイド線、および、前記第２の外側ガイド線よりも前記閉鎖片に含まれる前記シール部から離れた箇所に設けられる第２の内側ガイド線を含み、前記第２の外側ガイド線は、投影面上において前記第１の外側ガイド線と交差し、前記第２の内側ガイド線は、投影面上において前記第１の内側ガイド線と交差する。
【００１５】
〔５〕前記パウチの一例によれば、前記ガイド部は、前記シール部に設けられるノッチをさらに含み、前記第１の外側ガイド線の端および前記第２の内側ガイド線の端、または、前記第１の内側ガイド線の端および前記第２の外側ガイド線の端は前記ノッチの先端部と繋がる。
【００１６】
〔６〕前記パウチの一例によれば、前記第１のガイド線および前記第２のガイド線の少なくとも一方は波線である。
〔７〕前記パウチの一例によれば、前記第１の外側ガイド線および前記第１の内側ガイド線の位相は同じであり、前記第２の外側ガイド線および前記第２の内側ガイド線の位相は同じであり、前記第１の外側ガイド線および前記第１の内側ガイド線の位相と異なる。
【００１７】
〔８〕前記パウチの一例によれば、前記第１の外側ガイド線および前記第１の内側ガイド線と前記第２の外側ガイド線および前記第２の内側ガイド線とのずれは半周期であり、前記第１の外側ガイド線の谷の頂点と前記第２の内側ガイド線の山の頂点とは、投影面上において互いに接し、前記第１の内側ガイド線の山の頂点と前記第２の外側ガイド線の谷の頂点とは、投影面上において互いに接する。
【発明の効果】
【００１８】
上記パウチによれば、閉鎖片をスムーズに切り取ることができ、その開口部を容易に開封できる。
【図面の簡単な説明】
【００１９】
【図１】第１実施形態のパウチの正面図。
【図２】図１の各ガイド線およびその周辺を示す拡大図。
【図３】図２のＡ部の拡大図。
【図４】第１の切取手順により袋から閉鎖片が切り取られている状態を示す斜視図。
【図５】第２の切取手順により袋から閉鎖片が切り取られている状態を示す斜視図。
【図６】第２実施形態のパウチの各ガイド線およびその周辺を示す拡大図。
【図７】変形例のパウチの各ガイド線およびその周辺を示す拡大図。
【図８】変形例のパウチの各ガイド線およびその周辺を示す拡大図。
【図９】従来のパウチの正面図。
【図１０】図９のパウチの袋から閉鎖片が切り取られている状態を示す正面図。
【発明を実施するための形態】
【００２０】
（第１実施形態）
図１は内容物１００が収容されたパウチ１の外観である。パウチ１の形態は平パウチである。パウチ１は袋１０を含む。袋１０は第１のシート１１、第２のシート１２、および、シール部２０を含む。第１のシート１１および第２のシート１２は互いに対向している。シール部２０の機能は、第１のシート１１および第２のシート１２により袋１０が構成されるように第１のシート１１と第２のシート１２とを接合することである。一例では、各シート１１、１２の縁が互いにシールされることにより袋１０が構成される。なお、図示されるドットはシール部２０である。
【００２１】
各シート１１、１２は同一の層構造を有する積層シートであり、例えば透明な材料により構成された最外層、中間層、および、最内層を含む。最外層を構成する材料の一例はポリエチレンテレフタレートである。中間層は例えば印刷層、第１接着層、延伸ナイロン層、および、第２接着層を含む。印刷層は最外層の内側に設けられ、外面に絵柄および商品説明のテキスト等が印刷される。第１接着層は印刷層の内側に設けられる。延伸ナイロン層は第１接着層の内側に設けられる。第２接着層は延伸ナイロン層の内側に設けられる。最内層は第２接着層の内側に設けられる。最内層を構成する材料の一例は無延伸ポリプロピレンである。
【００２２】
シール部２０は第１の側部シール部２１、第２の側部シール部２２、上部シール部２３、および、底部シール部２４を含む。第１の側部シール部２１は各シート１１、１２の一方の側部が互いにシールされた部分である。第２の側部シール部２２は各シート１１、１２の他方の側部が互いにシールされた部分である。上部シール部２３は正面視における各シート１１、１２の上部が互いにシールされた部分である。底部シール部２４は正面視における各シート１１、１２の底部が互いにシールされた部分である。
【００２３】
袋１０は収容空間１３をさらに含む。収容空間１３は第１のシート１１の内面および第２のシート１２の内面に囲まれた空間である。すなわち、第１のシート１１および第２のシート１２は収容空間１３を介して互いに対向している。収容空間１３には内容物１００が収容される。内容物１００の一例は食品である。
【００２４】
パウチ１はファスナー３０をさらに含む。ファスナー３０の機能はパウチ１を開封および閉鎖することである。ファスナー３０は第１の側部シール部２１から第２の側部シール部２２までの範囲において、上部シール部２３の長手方向に沿うように各シート１１、１２の内面に設けられる。なお、収容空間１３は各シート１１、１２の内面に囲まれた空間のうちのファスナー３０よりも底部シール部２４側の空間を構成する。
【００２５】
ファスナー３０が開封されることにより、袋１０の開口である開口部１４と収容空間１３とが連通し、その開口部１４が開封される。ファスナー３０が閉鎖されることにより開口部１４が閉鎖される。図１に示される例では、開口部１４が上部シール部２３およびファスナー３０により閉鎖されている。
【００２６】
パウチ１はガイド部４０をさらに含む。ガイド部４０の機能は袋１０の一部の切断を補助することである。袋１０はその一部が切断されることにより閉鎖片１０Ａと袋本体１０Ｂとに分離する。閉鎖片１０Ａは袋１０のうちの上部シール部２３を含む部分である。袋本体１０Ｂは袋１０から閉鎖片１０Ａを除いた部分である。ガイド部４０は、袋１０に開口部１４を形成するために閉鎖片１０Ａを袋本体１０Ｂから分離できるように第１のシート１１および第２のシート１２に設けられる。閉鎖片１０Ａが袋本体１０Ｂから切り取られることにより、開口部１４が開封可能な状態が構成される。
【００２７】
ガイド部４０は、閉鎖片１０Ａが袋１０から分離された場合に袋１０の開口部１４において第１のシート１１の内面および第２のシート１２の内面の少なくとも一方が露出するように設けられる。また、ガイド部４０は、閉鎖片１０Ａが第１のシート１１側に飛び出すように閉鎖片１０Ａが袋１０から分離される場合の開口部１４の形状と、閉鎖片１０Ａが第２のシート１２側に飛び出すように閉鎖片１０Ａが袋１０から分離される場合の開口部１４の形状とが異なるように設けられる。
【００２８】
パウチ１には少なくとも第１の方向および第２の方向が規定される。第１の方向はパウチ１の正面視において開口部１４に沿う方向である。第２の方向はパウチ１の正面視において第１の方向と直交する方向である。
【００２９】
ガイド部４０は複数の第１のガイド線５０、複数の第２のガイド線６０、および、一対のノッチ７０を含む。一方のノッチ７０は第１の側部シール部２１のうちの上部シール部２３側に設けられる。他方のノッチ７０は第２の側部シール部２２のうちの上部シール部２３側に設けられる。各ノッチ７０は例えば第２の方向において上部シール部２３からの距離が同じ位置に設けられる。
【００３０】
第１のガイド線５０は例えば一方のノッチ７０から他方のノッチ７０までの範囲において、第１の方向に伸びるように第１のシート１１に設けられる。複数の第１のガイド線５０の数の一例は２本である。第２のガイド線６０は例えば一方のノッチ７０から他方のノッチ７０までの範囲において、第１の方向に伸びるように第２のシート１２に設けられる。複数の第２のガイド線６０の数の一例は２本である。各ガイド線５０、６０は例えばロータリーダイカッターを用いて形成される。
【００３１】
ノッチ７０および各ガイド線５０、６０に従って閉鎖片１０Ａが袋本体１０Ｂから切り取られることにより、閉鎖片１０Ａと袋本体１０Ｂとが分離する。なお、図示される一点鎖線は一方のノッチ７０の頂点７０Ａと他方のノッチ７０の頂点７０Ａとを繋ぐ仮想線ＶＬである。
【００３２】
図２に示されるとおり、複数の第１のガイド線５０は第１の外側ガイド線５１および第１の内側ガイド線５２を含む。第１の外側ガイド線５１は第１のシート１１のうちの上部シール部２３寄りの箇所に設けられる。第１の内側ガイド線５２は第２の方向において、第１のシート１１のうちの第１の外側ガイド線５１よりも上部シール部２３から離れた箇所に設けられる。
【００３３】
第１の外側ガイド線５１は例えば波線であり、複数の外側湾曲部分５１Ａおよび複数の内側湾曲部分５１Ｂを含む。外側湾曲部分５１Ａは上部シール部２３側に向けて突出した部分である。内側湾曲部分５１Ｂは上部シール部２３側とは反対の方向に向けて突出した部分である。第１の外側ガイド線５１は外側湾曲部分５１Ａと内側湾曲部分５１Ｂとが交互に連続するように設けられる。
【００３４】
第１の内側ガイド線５２は例えば波線であり、複数の外側湾曲部分５２Ａおよび複数の内側湾曲部分５２Ｂを含む。外側湾曲部分５２Ａは上部シール部２３側に向けて突出した部分である。内側湾曲部分５２Ｂは上部シール部２３側とは反対の方向に向けて突出した部分である。第１の内側ガイド線５２は外側湾曲部分５２Ａと内側湾曲部分５１Ｂとが交互に連続するように設けられる。第１の外側ガイド線５１および第１の内側ガイド線５２の位相は同じである。
【００３５】
複数の第２のガイド線６０は第２の外側ガイド線６１および第２の内側ガイド線６２を含む。第２の外側ガイド線６１は第２のシート１２のうちの上部シール部２３寄りの箇所に設けられる。第２の内側ガイド線６２は第２の方向において、第２のシート１２のうちの第２の外側ガイド線６１よりも上部シール部２３から離れた箇所に設けられる。
【００３６】
第２の外側ガイド線６１は例えば波線であり、複数の外側湾曲部分６１Ａおよび複数の内側湾曲部分６１Ｂを含む。外側湾曲部分６１Ａは上部シール部２３側に向けて突出した部分である。内側湾曲部分６１Ｂは上部シール部２３側とは反対の方向に向けて突出した部分である。第２の外側ガイド線６１は外側湾曲部分６１Ａと内側湾曲部分６１Ｂとが交互に連続するように設けられる。
【００３７】
第２の内側ガイド線６２は例えば波線であり、複数の外側湾曲部分６２Ａおよび複数の内側湾曲部分６２Ｂを含む。外側湾曲部分６２Ａは上部シール部２３側に向けて突出した部分である。内側湾曲部分６２Ｂは上部シール部２３側とは反対の方向に向けて突出した部分である。第２の内側ガイド線６２は外側湾曲部分６２Ａと内側湾曲部分６２Ｂとが交互に連続するように設けられる。
【００３８】
第２の外側ガイド線６１および第２の内側ガイド線６２の位相は同じであり、第１の外側ガイド線５１および第１の内側ガイド線５２の位相と異なる。一例では、第１の外側ガイド線５１および第１の内側ガイド線５２と第２の外側ガイド線６１および第２の内側ガイド線６２とのずれは半周期である。
【００３９】
第１の外側ガイド線５１および第２の外側ガイド線６１は第２の方向において同じ位置に設けられる。例えば、第２の方向における上部シール部２３と第１の外側ガイド線５１との距離と、第２の方向における上部シール部２３と第２の外側ガイド線６１との距離とが等しい。また、第１の内側ガイド線５２および第２の内側ガイド線６２は第２の方向において同じ位置に設けられる。
【００４０】
各ガイド線５０、６０が投影面上に投影された場合、各ガイド線５０、６０の位置関係は図２に示される関係と実質的に同一である。すなわち、投影面上において第１の外側ガイド線５１と第２の外側ガイド線６１とが交差し、第１の内側ガイド線５２と第２の内側ガイド線６２とが交差する。
【００４１】
第１の外側ガイド線５１の谷を構成する内側湾曲部分５１Ｂの頂点と、第２の内側ガイド線６２の山を構成する外側湾曲部分６２Ａの頂点とは投影面上において互いに接する。投影面上における第１の外側ガイド線５１と第２の内側ガイド線６２との接点は例えば仮想線ＶＬ上に位置する。第１の内側ガイド線５２の山を構成する外側湾曲部分５２Ａの頂点と、第２の外側ガイド線６１の谷を構成する内側湾曲部分６１Ｂの頂点とは投影面上において互いに接する。投影面上における第１の内側ガイド線５２と第２の外側ガイド線６１との接点は例えば仮想線ＶＬ上に位置する。
【００４２】
各ガイド線５０、６０における波の振幅は０．７５ｍｍ以上であることが好ましく、その一例は０．７５ｍｍである。第１の外側ガイド線５１の外側湾曲部分５１Ａの頂点と第２の内側ガイド線６２の内側湾曲部分６２Ｂの頂点との距離、および、第２の外側ガイド線６１の外側湾曲部分６１Ａの頂点と第１の内側ガイド線５２の内側湾曲部分５２Ｂの頂点との距離は３．０ｍｍ以上であることが好ましく、その一例は３．０ｍｍである。各ガイド線５０、６０の波長は６０ｍｍ以上であることが好ましく、その一例は６０ｍｍである。
【００４３】
各ガイド線５０、６０の端はノッチ７０と繋がる。具体的には、第２の側部シール部２２側（図１参照）における第１の外側ガイド線５１の端および第２の内側ガイド線６２の端はノッチ７０の先端部と繋がる。ノッチ７０の先端部は頂点７０Ａおよびその付近を含む。また、第１の側部シール部２１側における第１の内側ガイド線５２の端および第２の外側ガイド線６１の端はノッチ７０の先端部と繋がる。図３に示される例では、第１の側部シール部２１側における第１の内側ガイド線５２の端および第２の外側ガイド線６１の端はノッチ７０の頂点７０Ａ付近と繋がる。各ガイド線５０、６０の種類の一例はハの字である（図３参照）。
【００４４】
図４および図５を参照して、パウチ１の切取手順について説明する。
パウチ１を使用する使用者が袋１０から閉鎖片１０Ａを切り取る手順として、第１の切取手順（図４参照）および第２の切取手順（図５参照）が考えられる。第１の切取手順では、使用者は第１のシート１１が自身と面するように一方の手で袋本体１０Ｂを持ち、他方の手で閉鎖片１０Ａが第１のシート１１側、すなわち自身に向けて飛び出すように閉鎖片１０Ａを袋１０から切り取る。
【００４５】
第１の切取手順によれば、図４に示されるように典型的には次のように各シート１１、１２が切断される。最初に、ノッチ７０の頂点７０Ａまたはその付近から、投影面上における第１の内側ガイド線５２と第２の外側ガイド線６１との接点ＣＡに対応する位置まで仮想線ＶＬに沿って各シート１１、１２が切断される。接点ＣＡは仮想線ＶＬに沿って切断される各シート１１、１２の切り口が初めに到達する接点である。この段階では、各シート１１、１２における切断経路は同じである。
【００４６】
次に、第１のシート１１が第１の内側ガイド線５２に沿って切断され、第２のシート１２が第２の外側ガイド線６１に沿って切断される。このように、切断経路が接点ＣＡを超えてからは、各シート１１、１２が異なる切断経路に従って切断される。最後に、各シート１１、１２の切断経路が他方のノッチ７０に到達することにより、閉鎖片１０Ａが袋本体１０Ｂから切り取られる。
【００４７】
第１の切取手順により袋１０から閉鎖片１０Ａが切り取られることにより、袋本体１０Ｂのうちの第２のシート１２に袋本体段差部１２Ａが形成され、閉鎖片１０Ａのうちの第１のシート１１に閉鎖片段差部１１Ｂが形成される。袋本体段差部１２Ａは第２の外側ガイド線６１および第１の内側ガイド線５２により囲まれ、開口部１４において第２のシート１２の内面が露出する部分である。閉鎖片段差部１１Ｂは第１のシート１１のうちの袋本体段差部１２Ａと対向する部分であり、閉鎖片１０Ａにおいて第１のシート１１の内面が露出する部分である。
【００４８】
第１の切取手順では、閉鎖片１０Ａが第１のシート１１側に飛び出すため、袋１０が切断されることにともない閉鎖片段差部１１Ｂが袋本体１０Ｂと接触しにくく、第２の外側ガイド線６１の内側湾曲部分６１Ｂも袋本体１０Ｂと接触しにくい。このため、閉鎖片１０Ａがスムーズに切り取られる。また、使用者が袋本体段差部１２Ａを把持することにより、その開口部１４を容易に開封できる。
【００４９】
第２の切取手順では、使用者は第１のシート１１が自身と面するように一方の手で袋本体１０Ｂを持ち、他方の手で閉鎖片１０Ａが第２のシート１２側、すなわち、自身とは反対側に向けて飛び出すように閉鎖片１０Ａを袋１０から切り取る。
【００５０】
第２の切取手順によれば、図５に示されるように典型的には次のように各シート１１、１２が切断される。最初に、ノッチ７０の頂点７０Ａまたはその付近から、投影面上における第１の外側ガイド線５１と第２の内側ガイド線６２との接点ＣＢに対応する位置まで仮想線ＶＬに沿って各シート１１、１２が切断される。接点ＣＢは仮想線ＶＬに沿って切断される各シート１１、１２の切り口が初めに到達する接点である。この段階では、各シート１１、１２における切断経路は同じである。
【００５１】
次に、第１のシート１１が第１の外側ガイド線５１に沿って切断され、第２のシート１２が第２の内側ガイド線６２に沿って切断される。このように、切断経路が接点ＣＢを超えてからは、各シート１１、１２が異なる切断経路に従って切断される。最後に、各シート１１、１２の切断経路が他方のノッチ７０に到達することにより、閉鎖片１０Ａが袋本体１０Ｂから切り取られる。
【００５２】
第２の切取手順により袋１０から閉鎖片１０Ａが切り取られることにより、袋本体１０Ｂのうちの第１のシート１１に袋本体段差部１１Ａが形成され、閉鎖片１０Ａのうちの第２のシート１２に閉鎖片段差部１２Ｂが形成される。袋本体段差部１１Ａは第１の外側ガイド線５１および第２の内側ガイド線６２により囲まれ、開口部１４において第１のシート１１の内面が露出する部分である。閉鎖片段差部１２Ｂは第２のシート１２のうちの袋本体段差部１１Ａと対向する部分であり、閉鎖片１０Ａにおいて第２のシート１２の内面が露出する部分である。
【００５３】
第２の切取手順では、閉鎖片１０Ａが第２のシート１２側に飛び出すため、袋１０が切断されることにともない閉鎖片段差部１２Ｂが袋本体１０Ｂと接触しにくく、第１の外側ガイド線５１の内側湾曲部分５１Ｂも袋本体１０Ｂと接触しにくい。このため、閉鎖片１０Ａがスムーズに切り取られる。また、使用者が袋本体段差部１１Ａを把持することにより、その開口部１４を容易に開封できる。
【００５４】
このように、第１の切取手順または第２の切取手順により閉鎖片１０Ａが切り取られる場合に各ガイド線５０、６０のうちのいずれかのガイド線に沿って袋１０が切断される。いずれのガイド線が切断されるかは、閉鎖片１０Ａを切り取るためにパウチ１に加えられる力に主に依存する。
【００５５】
第１実施形態のパウチ１によれば、さらに以下の効果が得られる。
第１のガイド線５０および第２のガイド線６０の数が１本ずつである場合、第１の切取手順および第２の切取手順のいずれかにより閉鎖片１０Ａが袋１０から切り取られる過程において第１のシート１１と第２のシート１２との干渉が大きくなり、袋１０から閉鎖片１０Ａを切り取る動作が妨げられる。この場合、閉鎖片１０Ａと袋本体１０Ｂとが分離する部分である切り口が、対応するガイド線５０、６０から脱線することがある。このため、袋１０から閉鎖片１０Ａが切り取られたとしても、パウチ１を容易に開封するために用いられる袋本体段差部１１Ａ、１２Ａが適切に形成されないおそれがある。
【００５６】
一方、パウチ１によれば、袋１０から閉鎖片１０Ａが切り取られる過程において第１のシート１１と第２のシート１２との干渉が大きくなる前に、第１の切取手順および第２の切取手順のいずれにおいても閉鎖片１０Ａが袋１０から切り取られるように各ガイド線５０、６０が設けられている。このため、閉鎖片１０Ａが袋１０から切り取られる過程において、その切り口が対応するガイド線５０、６０から脱線しにくい、このため、袋本体段差部１１Ａ、１２Ａが適切に形成され、パウチ１を容易に開封できる。
【００５７】
パウチ１は、第１の内側ガイド線５２の外側湾曲部分５２Ａの頂点と第２の外側ガイド線６１の内側湾曲部分６１Ｂの頂点とが投影面上において互いに接する。この構成によれば、第１の切取手順により閉鎖片１０Ａが袋１０から切り取られる過程において、その切り口が第１の内側ガイド線５２および第２の外側ガイド線６１に誘導されやすい。このため、第１の内側ガイド線５２の外側湾曲部分５２Ａの頂点と第２の外側ガイド線６１の内側湾曲部分６１Ｂの頂点とが投影面上において離れている場合と比較して、第１の切取手順により閉鎖片１０Ａがスムーズに切り取られやすい。また、パウチ１によれば、第１の外側ガイド線５１の内側湾曲部分５１Ｂの頂点と第２の内側ガイド線６２の外側湾曲部分６２Ａの頂点とが投影面上において互いに接するため、第２の切取手順においても同様の効果が得られる。
【００５８】
第１のガイド線５０および第２のガイド線６０は波線である。このため、各ガイド線５０、６０が複数の頂点を含む線である場合と比較して、閉鎖片１０Ａがスムーズに切り取られやすい。また、閉鎖片１０Ａが袋１０から切り取られた場合にその袋１０の開口部１４の形状も波線を構成するため、開口部１４の意匠性が高められる。
【００５９】
第１のガイド線５０および第２のガイド線６０の種類が一列に並べられた点線または破線等である場合、閉鎖片１０Ａが袋１０から切り取られる過程においてその切り口が各ガイド線５０、６０から脱線するおそれがある。一方、パウチ１は各ガイド線５０、６０の種類がハの字である。すなわち、個々のガイド線５０、６０が二列で並べられる。このため、閉鎖片１０Ａが袋１０から切り取られる過程においてその切り口が各ガイド線５０、６０から脱線するおそれが低下し、袋１０の開口部１４が滑らかに形成されやすい。
【００６０】
（第２実施形態）
第２実施形態のパウチ１は、以下に説明する点において第１実施形態のパウチ１と相違し、その他の点において第１実施形態のパウチ１と実質的に同じ構成を備える。なお、第２実施形態のパウチ１の説明では、第１実施形態のパウチ１と共通する構成に同一の符号を付し、その構成の説明の一部または全部を省略する。
【００６１】
図６に示されるとおり、第２の実施形態のガイド部４０は第２のガイド線６０（図１参照）に代えて第２のガイド線１６０を含む。
第２のガイド線１６０は例えば一方のノッチ７０から他方のノッチ７０までの範囲において、第１の方向に伸びるように第２のシート１２に設けられる。具体的には、第２のガイド線１６０は一方のノッチ７０の先端と他方のノッチ７０の先端とを繋ぐように第２のシート１２に設けられる。図６に示される例では、第２のガイド線１６０は直線である。すなわち、第２のガイド線１６０は仮想線ＶＬ（図１参照）上に存在する。
【００６２】
第２のガイド線１６０は例えば投影面上において第１の外側ガイド線５１および第１の内側ガイド線５２と接する。具体的には、第１の外側ガイド線５１の内側湾曲部分５１Ｂの頂点と第２のガイド線１６０とは投影面上において互いに接する。すなわち、投影面上における第１の外側ガイド線５１と第２のガイド線１６０との接点は仮想線ＶＬ上に位置する。第１の内側ガイド線５２の外側湾曲部分５２Ａの頂点と第２のガイド線１６０とは投影面上において互いに接する。すなわち、投影面上における第１の内側ガイド線５２と第２のガイド線１６０との接点は仮想線ＶＬ上に位置する。
【００６３】
第１のガイド線５０における波の振幅の一例は１．５ｍｍである。すなわち、第１の外側ガイド線５１の外側湾曲部分５１Ａの頂点と第２のガイド線１６０との距離の一例は３．０ｍｍである。各ガイド線５０、１６０の種類の一例はハの字である。
【００６４】
第１の切取手順により袋１０から閉鎖片１０Ａが切り取られることにより、袋本体１０Ｂのうちの第２のシート１２に袋本体段差部（図示略）が形成され、閉鎖片１０Ａのうちの第１のシート１１に閉鎖片段差部（図示略）が形成される。袋本体段差部は第１の内側ガイド線５２および第２のガイド線１６０により囲まれ、開口部１４において第２のシート１２の内面が露出する部分である。閉鎖片段差部は第１のシート１１のうちの袋本体段差部と対向する部分であり、閉鎖片１０Ａにおいて第１のシート１１の内面が露出する部分である。
【００６５】
第２の切取手順により袋１０から閉鎖片１０Ａが切り取られることにより、袋本体１０Ｂのうちの第１のシート１１に袋本体段差部（図示略）が形成され、閉鎖片１０Ａのうちの第２のシート１２に閉鎖片段差部（図示略）が形成される。袋本体段差部は第１の外側ガイド線５１および第２のガイド線１６０により囲まれ、開口部１４において第１のシート１１の内面が露出する部分である。閉鎖片段差部は第２のシート１２のうちの袋本体段差部と対向する部分であり、閉鎖片１０Ａにおいて第２のシート１２の内面が露出する部分である。第２実施形態のパウチ１によれば、第１実施形態のパウチ１と実質的に同じ作用および効果が得られる。
【００６６】
（変形例）
上記実施形態に関する説明は本発明に従うパウチが取り得る形態の例示であり、その形態を制限することを意図していない。本発明に従うパウチは上記実施形態以外に例えば以下に示される実施形態の変形例、および、相互に矛盾しない少なくとも２つの変形例が組み合わせられた形態を取り得る。
【００６７】
・第１実施形態において、各ガイド線５０、６０の数は任意に変更可能である。一例では、図７に示されるとおり各ガイド線５０、６０の数は３本である。
複数の第１のガイド線５０は第１の外側ガイド線５１および第１の内側ガイド線５２に加えて、第１の中間ガイド線５３をさらに含む。第１の中間ガイド線５３は例えば第１のシート１１のうちの第１の外側ガイド線５１と第１の内側ガイド線５２との間に設けられる。第１の中間ガイド線５３は例えば波線であり、第１の外側ガイド線５１および第１の内側ガイド線５２と同じ位相を有する。
【００６８】
複数の第２のガイド線６０は第２の外側ガイド線６１および第２の内側ガイド線６２に加えて、第２の中間ガイド線６３をさらに含む。第２の中間ガイド線６３は例えば第２のシート１２のうちの第２の外側ガイド線６１と第２の内側ガイド線６２との間に設けられる。第２の中間ガイド線６３は例えば波線であり、第２の外側ガイド線６１および第２の内側ガイド線６２と同じ位相を有する。第１の中間ガイド線５３は例えば投影面上において第２のガイド線６０および仮想線ＶＬと交差し、第２の中間ガイド線６３は例えば投影面上において第１のガイド線５０および仮想線ＶＬと交差する。
【００６９】
この変形例によれば、パウチ１の製造過程における公差によって各ガイド線５０、６０とノッチ７０との関係がばらついたとしても、各ガイド線５０、６０のいずれかに沿って閉鎖片１０Ａが切り取られやすい。すなわち、閉鎖片１０Ａが袋１０から切り取られる過程において、閉鎖片１０Ａが対応するガイド線５０、６０に沿ってスムーズに切り取られない場合、閉鎖片１０Ａが各中間ガイド線５３、６３に沿って切り取られるようになる。なお、閉鎖片１０Ａが切り取られる場合に各ガイド線５０、６０のうちのいずれかのガイド線に沿って袋１０が切断される。いずれのガイド線が切断されるかは、閉鎖片１０Ａを切り取るためにパウチ１に加えられる力に主に依存する。また、各ガイド線５０、６０の数は４本以上でもよい。
【００７０】
・第２実施形態において、第１のガイド線５０の数は任意に変更可能である。一例では、図８に示されるとおり第１のガイド線５０の数は３本である。
複数の第１のガイド線５０は第１の外側ガイド線５１および第１の内側ガイド線５２に加えて、第１の中間ガイド線５３をさらに含む。第１の中間ガイド線５３は例えば第１のシート１１のうちの第１の外側ガイド線５１と第１の内側ガイド線５２との間に設けられる。第１の中間ガイド線５３は例えば波線であり、第１の外側ガイド線５１および第１の内側ガイド線５２と同じ位相を有する。また、第１の中間ガイド線５３は例えば投影面上において第２のガイド線１６０と交差する。
【００７１】
この変形例によれば、パウチ１の製造過程における公差によって各ガイド線５０、１６０とノッチ７０との関係がばらついたとしても、各ガイド線５０、１６０のいずれかに沿って閉鎖片１０Ａが切り取られやすい。すなわち、閉鎖片１０Ａが袋１０から切り取られる過程において、閉鎖片１０Ａが対応するガイド線５０、１６０に沿ってスムーズに切り取られない場合、閉鎖片１０Ａが第１の中間ガイド線５３および第２のガイド線１６０に沿って切り取られるようになる。なお、閉鎖片１０Ａが切り取られる場合に各ガイド線５０、６０のうちのいずれかのガイド線に沿って袋１０が切断される。いずれのガイド線が切断されるかは、閉鎖片１０Ａを切り取るためにパウチ１に加えられる力に主に依存する。また、第１のガイド線５０の数は４本以上でもよい。
【００７２】
・第１実施形態における第１の外側ガイド線５１の内側湾曲部分５１Ｂの頂点と第２の内側ガイド線６２の外側湾曲部分６２Ａの頂点との関係は任意に変更可能である。第１の例では、第１の外側ガイド線５１の内側湾曲部分５１Ｂの頂点と第２の内側ガイド線６２の外側湾曲部分６２Ａの頂点とは投影面上において所定の間隔が空いている。所定の間隔は１ｍｍ以下である。第２の例では、第１の外側ガイド線５１の内側湾曲部分５１Ｂの頂点と第２の内側ガイド線６２の外側湾曲部分６２Ａの頂点とは投影面上において交差する。投影面上における第１の外側ガイド線５１の内側湾曲部分５１Ｂの頂点と第２の内側ガイド線６２の外側湾曲部分６２Ａの頂点との間隔は１ｍｍ以下である。なお、第１実施形態における第１の内側ガイド線５２の外側湾曲部分５２Ａの頂点と第２の外側ガイド線６１の内側湾曲部分６１Ｂの頂点との関係においても同様の変形が成立する。また、第２実施形態における第１の外側ガイド線５１の内側湾曲部分５１Ｂの頂点と第２のガイド線１６０との関係、および、第１の内側ガイド線５２の外側湾曲部分５２Ａの頂点と第２のガイド線１６０との関係においても同様の変形が成立する。
【００７３】
・第１のガイド線５０の位相と第２のガイド線６０の位相との関係は任意に変更可能である。第１の例では、第２のガイド線６０は第１のガイド線５０に対して９０°ずれている。第２の例では、第２のガイド線６０は第１のガイド線５０に対して２７０°ずれている。
【００７４】
・第１実施形態の各ガイド線５０、６０における波の振幅は任意に変更可能である。第１の例では、各ガイド線５０、６０における波の振幅は０．７５ｍｍよりも大きい。第２の例では、各ガイド線５０、６０における波の振幅は０．７５ｍｍ未満である。
【００７５】
・第２実施形態の第１のガイド線５０における波の振幅は任意に変更可能である。第１の例では、第１のガイド線５０における波の振幅は１．５ｍｍよりも大きい。第２の例では、第１のガイド線５０における波の振幅は１．５ｍｍ未満である。
【００７６】
・各ガイド線５０、６０の波長は任意に変更可能である。第１の例では、各ガイド線５０、６０の波長は６０ｍｍよりも大きい。第２の例では、各ガイド線５０、６０の波長は６０ｍｍ未満である。
【００７７】
・第１のガイド線５０が波線であるか否かは任意に変更可能である。第１の例では、第１のガイド線５０は複数の頂点を含む線である。第２の例では、第１のガイド線５０はその一部に直線を含む波線である。なお、第２のガイド線６０においても同様の変形が成立する。
【００７８】
・第１のガイド線５０の種類は任意に変更可能である。第１の例では、第１のガイド線５０の種類は直線である。第２の例では、第１のガイド線５０の種類は破線である。第３の例では、第１のガイド線５０の種類は点線である。なお、第２のガイド線６０、１６０においても同様の変形が成立する。
【００７９】
・各ガイド線５０、６０、１６０の製造方法は任意に変更可能である。一例では、各ガイド線５０、６０、１６０はレーザーを用いて形成される。このレーザーの種類は例えば炭酸ガスレーザー、ＹＡＧレーザー、半導体レーザー、および、アルゴンレーザーのうちのいずれかである。
【００８０】
・ノッチ７０の数は任意に変更可能である。第１の例では、ノッチ７０の数が１つである。第２の例では、ノッチ７０の数が３つ以上である。
・パウチ１はファスナー３０を省略した形態を取り得る。この変形例では、収容空間１３は各シート１１、１２の内面に囲まれた空間の全部を構成する。
【００８１】
・パウチ１の形態は任意に変更可能である。一例では、パウチ１はスタンディングパウチである。
【符号の説明】
【００８２】
１          ：パウチ
１０        ：袋
１０Ａ      ：閉鎖片
１１        ：第１のシート
１２        ：第２のシート
１４        ：開口部
２０        ：シール部
４０        ：ガイド部
５０        ：第１のガイド線
５１        ：第１の外側ガイド線
５２        ：第１の内側ガイド線
６０，１６０：第２のガイド線
６１        ：第２の外側ガイド線
６２        ：第２の内側ガイド線
７０        ：ノッチ
【図１】
0006744568.tif 000002
【図２】
0006744568.tif 000003
【図３】
0006744568.tif 000004
【図４】
0006744568.tif 000005
【図５】
0006744568.tif 000006
【図６】
0006744568.tif 000007
【図７】
0006744568.tif 000008
【図８】
0006744568.tif 000009
【図９】
0006744568.tif 000010
【図１０】
0006744568.tif 000011